(57)【要約】【課題】商用電源の停電時に、蓄電器の電力を利用して熱源機の運転を繰り返し行なうことを、簡易なシステム構成で実現することができる熱源装置を提供する。【解決手段】屋内の給湯対象箇所に供給する水を燃焼熱により加熱する熱源機２を備える熱源装置において、熱源機２に給水する第１給水路５２と屋内の給水対象箇所に給水する第２給水路５３とが支流給水路として分流される基幹給水路５１に、第１給水路５２及び第２給水路５３の上流側における基幹給水路５１の水流によって回転するように介装された回転部材６を有し、回転部材６の回転によって発電する前記発電装置５と、発電装置５の発電電力が充電されるように発電装置５に接続されており、商用電源の電力の代用として熱源機２の運転を行わせるための電力を貯蔵する蓄電器４とを備える。【選択図】図２
2013036645.tif 000002
【特許請求の範囲】
【請求項１】
商用電源の電力の給電を受けた状態で、屋内の給湯対象箇所に供給する水を燃焼熱により加熱する熱源機を備える熱源装置において、
少なくとも前記熱源機に給水する第１給水路と屋内の給水対象箇所に給水する第２給水路とが支流給水路として分流される基幹給水路に、該第１給水路及び第２給水路の上流側における該基幹給水路の水流によって回転するように介装された回転部材を有し、該回転部材の回転によって発電する発電装置と、
該発電装置の発電電力が充電されるように該発電装置に接続されており、前記商用電源の電力の代用として熱源機の運転を行わせるための電力を貯蔵する蓄電器とを備えることを特徴とする熱源装置。
【請求項２】
請求項１記載の熱源装置において、
前記基幹給水路には、前記回転部材を有する発電用通水路と該回転部材を迂回するように該発電用通水路に並列接続されたバイパス通水路とが介装されていると共に、該発電用通水路及びバイパス通水路の上流側から下流側への通水路を、該発電用通水路とバイパス給水路との一方から他方に切替えるための通水路切替え用制御弁が設けられており、
前記蓄電器の蓄電量を観測する蓄電量観測手段と、
該蓄電量観測手段により観測された前記蓄電器の蓄電量が所定量よりも大きい場合に、前記バイパス通水路で通水させるように前記通水路切替え用制御弁を制御し、該蓄電量が所定量よりも小さい場合に、前記発電用通水路で通水させるように前記通水路切替え用制御弁を制御する弁制御手段とをさらに備えることを特徴とする熱源装置。
【請求項３】
請求項１記載の熱源装置において、
前記蓄電器の蓄電量を観測する蓄電量観測手段と、
前記商用電源の停電時に、該蓄電量観測手段により観測された前記蓄電器の蓄電量に応じた報知を、前記熱源機の運転操作を行うために屋内に設置されるリモコンユニットに設けられた報知器を介して行なう報知制御手段とをさらに備えることを特徴とする熱源装置。
【請求項４】
請求項３記載の熱源装置において、
前記報知制御手段は、前記商用電源の停電時に、前記蓄電器の蓄電量が、該蓄電器の電力によって熱源機の運転を行い得る蓄電量であるか否かを判断し、該判断結果が肯定的である場合と否定的である場合とのうちの少なくともいずれか一方の場合にその旨を報知する手段を有することを特徴とする熱源装置。
【請求項５】
請求項３又は４記載の熱源装置において、
前記報知制御手段は、前記商用電源の停電時における熱源機の運転開始後に、前記蓄電器の蓄電量が、該蓄電器の電力によって熱源機の運転を行なうことが可能な限界の蓄電量の直前の蓄電量であるか否かを判断し、該判断結果が肯定的である場合と否定的である場合とのうちの少なくともいずれか一方の場合にその旨を報知する手段を有することを特徴とする熱源装置。
【請求項６】
請求項３〜５のいずれか１項に記載の熱源装置において、
前記商用電源の非停電時に、前記蓄電量観測手段により観測された前記蓄電器の蓄電量に応じて、熱源機の運転を行なうために使用する電源電力を、前記商用電源の電力と前記蓄電器との電力とのうちの一方から他方に切替える電源電力切替手段をさらに備えることを特徴とする熱源装置。
【発明の詳細な説明】
【技術分野】
【０００１】
本発明は給湯装置、温水暖房装置等の熱源装置に関する。
【背景技術】
【０００２】
給湯装置や温水暖房装置等の熱源装置にあっては、熱媒体としての水を燃焼熱により加熱するバーナを有する熱源機には、制御回路ユニットや、ファンモータ、電磁弁等の種々様々の電子機器が備えられる。そして、これらの電子機器の動作用電力は、通常、商用電源から熱源機に供給される。
【０００３】
そして、屋内に設置されるリモコンユニットを操作することで、熱源機の運転操作（熱源機の起動・停止や、熱媒体の目標温度の設定等）を行なうことが可能となっている。
【０００４】
この種の熱源装置では、商用電源の停電によって、熱源機に備えられた電子機器に電力を供給できなくなると、該熱源機の運転を行うことができなくなる。このため、この種の熱源装置では、従来、例えば特許文献１に見られるように、熱源機に、充電式バッテリを有するバックアップ電源装置を搭載しておき、商用電源の停電時に、バックアップ電源装置から熱源機の電子機器に電力を供給することで、熱源装置の運転を行い得るようにしたものが知られている。
【先行技術文献】
【特許文献】
【０００５】
【特許文献１】実願平４−５３２６５のマイクロフィルム
【発明の概要】
【発明が解決しようとする課題】
【０００６】
前記特許文献１に見られる如き従来の熱源装置では、商用電源の停電時に熱源装置の運転を行なうことが可能であるものの、該熱源装置の運転によってバックアップ電源装置の充電式バッテリの電力が消費されて、該バッテリの蓄電量が少なくなると、熱源装置の運転を行うことができなくなる。
【０００７】
そして、停電時には、バックアップ電源装置の充電式バッテリの蓄電量が少なくなっても、商用電源の電力を使用して該バッテリの充電を行なうことはできない。
【０００８】
従って、特許文献１に見られる如き従来の熱源装置では、特に商用電源の停電が長期間にわたるような場合に、該熱源装置の運転を何度も繰り返して行なうことが困難であった。
【０００９】
また、非停電時における充電式バッテリの充電が不十分で、停電発生の直前における充電式バッテリの蓄電量が少ないような場合には、停電後には、熱源装置の運転を全く行うことができないか、もしくは、短時間しか行なうことができないという不都合がある。
【００１０】
本発明は、かかる背景に鑑みてなされたものであり、商用電源の停電時に、蓄電器の電力を利用して熱源機の運転を繰り返し行なうことを、簡易なシステム構成で実現することができる熱源装置を提供することを目的とする。
【課題を解決するための手段】
【００１１】
本発明の熱源装置は、かかる目的を達成するために、商用電源の電力の給電を受けた状態で、屋内の給湯対象箇所に供給する水を燃焼熱により加熱する熱源機を備える熱源装置において、少なくとも前記熱源機に給水する第１給水路と屋内の給水対象箇所に給水する第２給水路とが支流給水路として分流される基幹給水路に、該第１給水路及び第２給水路の上流側における該基幹給水路の水流によって回転するように介装された回転部材を有し、該回転部材の回転によって発電する発電装置と、該発電装置の発電電力が充電されるように該発電装置に接続されており、前記商用電源の電力の代用として熱源機の運転を行わせるための電力を貯蔵する蓄電器とを備えることを特徴とする（第１発明）。
【００１２】
かかる第１発明によれば、商用電源の停電時には、蓄電器の電力を商用電源の電力の代わりに使用して、熱源機の運転が行われる。
【００１３】
一方、この蓄電器が接続された前記発電装置にあっては、屋内の給湯対象箇所（台所や浴室、洗面所等）や給水対象箇所（台所や浴室、洗面所、トイレ等）での通水が行なわれると、前記第１給水路又は第２給水路に水が流れ、ひいては、前記基幹給水路に水が流れることで前記回転部材が回転する。これにより、該発電装置が発電し、その発電電力が蓄電器に充電される。
【００１４】
この場合、基幹給水路への給水は一般に水道設備によって行なわれるので、停電時であっても、該水道設備が正常に稼動している限り、該基幹給水路の通水を行なうことができる。また、屋内の様々な給湯対象箇所や給水対象箇所での通水は、一般に高い頻度で繰り返し行なわれる。
【００１５】
従って、発電装置の発電、ひいては、蓄電器の充電を、屋内の様々な給湯対象箇所や給水対象箇所での通水によって、高い頻度で繰り返し行なうことができる。このため、商用電源の停電時に、蓄電器の蓄電量が少なくて熱源装置の運転を行うことができないような状況が長時間にわたって継続してしまうようなことが防止される。
【００１６】
よって、第１発明の熱源装置によれば、基幹給水路の水流を利用した発電装置とこの発電装置の発電電力を充電する蓄電器とを備える簡易なシステム構成で、商用電源の停電時に、蓄電器の電力を利用して熱源機の運転を繰り返し行なうことを実現することができる。
【００１７】
なお、本発明の熱源装置は、前記発電装置の回転部材を前記基幹給水路に介装する必要があるが、その作業は、例えば、熱源装置の設置作業と併せて行なうようにすることができる。
【００１８】
かかる第１発明においては、蓄電器が満充電状態もしくはそれに近い充電状態である場合には、蓄電器に充電される発電装置の発電電力はゼロもしくは微小なものとなる。そして、このような状況では、基幹給水路の水流による前記回転部材の回転駆動は無駄なエネルギー損失となる。
【００１９】
そこで、第１発明においては、前記基幹給水路には、前記回転部材を有する発電用通水路と該回転部材を迂回するように該発電用通水路に並列接続されたバイパス通水路とが介装されていると共に、該発電用通水路及びバイパス通水路の上流側から下流側への通水路を、該発電用通水路とバイパス給水路との一方から他方に切替えるための通水路切替え用制御弁が設けられており、前記蓄電器の蓄電量を観測する蓄電量観測手段と、該蓄電量観測手段により観測された前記蓄電器の蓄電量が所定量よりも大きい場合に、前記バイパス通水路で通水させるように前記通水路切替え用制御弁を制御し、該蓄電量が所定量よりも小さい場合に、前記発電用通水路で通水させるように前記通水路切替え用制御弁を制御する弁制御手段とをさらに備えることが好ましい（第２発明）。
【００２０】
この第２発明によれば、前記蓄電量観測手段により観測される蓄電器の蓄電量が前記所定量よりも大きい場合（満充電状態又はそれに近い状態である場合）に、前記通水路切替え用制御弁が、前記バイパス通水路で通水させるように前記弁制御手段によって制御される。このため、基幹給水路を流れる水は、前記回転部材を有する発電用通水路を通ることなく、前記バイパス通水路を流れる。これにより、エネルギー損失が低減される。ひいては、発電用通水路での通水が行なわれる場合に比して、前記第１給水路や第２給水路での水圧が高まって、屋内の給湯対象箇所や給水対象箇所での通水を円滑に行うことができる。
【００２１】
また、蓄電器の蓄電量が前記所定量よりも小さい場合には、前記通水路切替え用制御弁が、前記発電用通水路で通水させるように前記弁制御手段によって制御される。このため、基幹給水路を流れる水は、前記回転部材を有する発電用通水路を通ることとなる。これにより、該回転部材が回転駆動されて、発電装置の発電が行なわれ、その発電電力が蓄電器に充電される。
【００２２】
ところで、第１発明においては、商用電源の停電時に、ユーザが任意のタイミングで熱源機の運転を行なおうとしても、その時点での蓄電器の充電が不十分な状態である場合には、熱源機の運転を行なうことができないか、もしくは、該熱源機の運転を短時間しか行うことができない。
【００２３】
そこで、第１発明においては、前記蓄電器の蓄電量を観測する蓄電量観測手段と、前記商用電源の停電時に、該蓄電量観測手段により観測された前記蓄電器の蓄電量に応じた報知を、前記熱源機の運転操作を行うために屋内に設置されるリモコンユニットに設けられた報知器を介して行なう報知制御手段とをさらに備えることが好ましい（第３発明）。
【００２４】
この第３発明によれば、前記蓄電量観測手段によって観測された蓄電量に応じた報知が、屋内に設置されているリモコンユニットに設けられた報知器を介して行なわれる。
【００２５】
この報知によって、ユーザは、蓄電器の蓄電量がどのような状態であるか、例えば、熱源機の運転を行い得る程度に十分な蓄電量であるか否か等を屋内において認識することができる。
【００２６】
このため、ユーザは、闇雲に熱源機の運転を行わせようとしたり、あるいは、前記発電装置の発電電力による蓄電器の充電を不必要に長時間にわたって待ったりすることなく、熱源機の運転を行うようにすることができる。従って、商用電源の停電時における熱源機の運転の利便性を高めることができる。
【００２７】
なお、第３発明は、前記第２発明と組み合わせてもよい。
【００２８】
かかる第３発明では、前記報知制御手段は、前記商用電源の停電時に、前記蓄電器の蓄電量が、該蓄電器の電力によって熱源機の運転を行い得る蓄電量であるか否かを判断し、該判断結果が肯定的である場合と否定的である場合とのうちの少なくともいずれか一方の場合にその旨を報知する手段を有することが好ましい（第４発明）。
【００２９】
この第４発明によれば、ユーザは、停電時に、蓄電器の電力によって熱源機の運転を行い得る状況であるか否かを、報知制御手段による報知によって、正しく認識することができる。このため、前記発電装置の発電電力による蓄電器の充電のために熱源機の運転を行わないようにしてユーザが待機しなければならない時間を必要最小限に留めることができ、停電時における熱源機の運転を行なう頻度を高めることができる。
【００３０】
また、上記第３発明又は第４発明では、前記報知制御手段は、前記商用電源の停電時における熱源機の運転開始後に、前記蓄電器の蓄電量が、該蓄電器の電力によって熱源機の運転を行なうことが可能な限界の蓄電量の直前の蓄電量であるか否かを判断し、該判断結果が肯定的である場合と否定的である場合とのうちの少なくともいずれか一方の場合にその旨を報知する手段を有することが好ましい（第５発明）。
【００３１】
この第５発明によれば、停電時に、蓄電器の電力によって熱源機の運転を行っているときに、その運転による電力消費によって蓄電器の電力が減少して、熱源機の運転を行うことができなくなる状況（蓄電器の蓄電量が前記限界の蓄電量まで減少した状況）に近い状況になると、ユーザは、そのこと（まもなく熱源機の運転を行うことができなくなること）を報知制御手段による報知によって認識することができる。
【００３２】
このため、熱源機の運転中に、ユーザの事前の認識が無いのに、該熱源機の運転が蓄電器の電力不足によって不意に停止してしまうことが無いようにすることができる。また、熱源機の運転を行うことができなくなる前の熱源機の運転計画をたてやすくなると共に、前記発電装置の発電電力による蓄電器の充電を行なうために、熱源機の運転を極力控えたり、あるいは、前記給水対象箇所又は給湯対象箇所での通水を積極的に行なうというような処置をとることができる。
【００３３】
従って、熱源機の運転を全く行うことができないというような状況が発生するのを極力防止することが可能となる。
【００３４】
上記第３〜第５発明では、前記商用電源の非停電時に、前記蓄電量観測手段により観測された前記蓄電器の蓄電量に応じて、熱源機の運転を行なうために使用する電源電力を、前記商用電源の電力と前記蓄電器との電力とのうちの一方から他方に切替える電源電力切替手段をさらに備えるようにしてもよい（第６発明）。
【００３５】
この第６発明によれば、商用電源の非停電時において、蓄電器の蓄電量に応じて、熱源機の運転を行なうために使用する電源電力を、前記商用電源の電力から前記蓄電器の電力に切替えたり、該蓄電器の電力から商用電源の電力に切替えるようにすることができる。例えば、蓄電器の蓄電量が第１の所定量以上である場合（蓄電器の充電状態が満充電状態もしくはこれに近い状態である場合）に、該蓄電量が、第１の所定量よりも低い第２の所定量に低下するまで、蓄電器の電力を使用して熱源機の運転を行うようにすることができる。
【００３６】
このようにすることにより、商用電源の非停電時において、発電装置の発電電力によって充電された蓄電器の電力を使用するようにして、商用電源の電力の消費を低減し、熱源装置の節電を図ることができる。
【図面の簡単な説明】
【００３７】
【図１】本発明の一実施形態における熱源装置としての給湯装置が設置された家屋の給水及び給湯に係わる構成を概略的に示す図。
【図２】図１に示す家屋に設置された給湯装置の全体構成を概略的に示す図。
【図３】図２の給湯装置のリモコンユニットの外観構成を示す図。
【図４】図２の給湯装置の給湯器本体に備えた回路ユニットとリモコンユニットに備えた回路ユニットとの主要な回路構成を示す図。
【図５】図２の給湯装置の電源系に関する作動を示すフローチャート。
【図６】図２の給湯装置の電源系に関する作動を示すフローチャート。
【発明を実施するための形態】
【００３８】
本発明の一実施形態を図１〜図６を参照して以下に説明する。本実施形態の熱源装置は、給湯装置１である。この給湯装置１は、例えば図１に示すような家屋５０に設置されたものである。
【００３９】
図１及び図２に示すように、給湯装置１は、熱媒体としての水を加熱する給湯器本体２と、この給湯器本体２の運転操作を行うための複数のリモコンユニット３（３ａ，３ｂ）と、商用電源の停電時に給湯器本体２の運転を行わせるための電力を貯蔵する蓄電器としてのバッテリ４と、このバッテリ４に充電する電力を発電する発電装置５とを備えている。
【００４０】
給湯器本体２は、家屋５０の屋外に設置された熱源機であり、該給湯器本体２に接続された第１給水路５２から水（上水）が供給されるようになっている。そして、給湯機本体２は、第１給水路５２から供給される水を、図示を省略するバーナの燃焼熱により熱交換器を介して加熱し、加熱した湯を該給湯器本体２から導出された給湯路６０に出湯するように構成されている。上記バーナは本実施形態の例では、燃料としてガスを使用するガスバーナである。かかる給湯器本体２の機構的な構成（バーナの燃焼や給湯に関する機構的な構成）は公知のものであるので、本明細書での詳細な説明は省略する。
【００４１】
なお、上記バーナは燃料として灯油等の液体燃料を使用するものであってもよい。
【００４２】
ここで、家屋５０における給水や給湯のための配管構成について図１を参照して説明しておく。
【００４３】
家屋５０（もしくはその敷地）には、水道設備から水（上水）が供給される基幹給水路５１が備えられており、この基幹給水路５１から、給湯器本体２に水を供給する前記第１給水路５２と、家屋５０内の給水対象箇所（図示例では台所、洗面所、浴室、トイレ）に水を供給する第２給水路５３とが支流給水路として分流されている。
【００４４】
第２給水路５３に供給された水は、該第２給水路５３から、各給水対象箇所の給水部、例えば台所の蛇口５４、洗面所の洗濯機用の蛇口５５、洗面所の手洗い場の蛇口５６、浴室のシャワー５７及び蛇口５８、トイレの便器５９等に供給されるようになっている。
【００４５】
また、給湯器本体２から導出された給湯路６０は、家屋５０内の給湯対象箇所（図示例では台所、洗面所、浴室）に導かれている。そして、給湯器本体２から給湯路６０に流入する湯（又は水）は、該給湯路６０から各給湯対象箇所の給湯部、例えば台所の蛇口５４、洗面所の手洗い場の蛇口５５、浴室のシャワー５７及び蛇口５８、浴室の浴槽６１等に供給されるようになっている。
【００４６】
前記発電装置５は、第１給水路５２及び第２給水路５３の上流側にて基幹給水路５１に組み付けられている。
【００４７】
さらに詳細には、図２に示すように、発電装置５は、回転部材としての羽根車６を有する発電用通水路７と、羽根車６を迂回するようにして発電用通水路７に並列接続されたバイパス通水路８と、該発電用通水路７及びバイパス通水路８の上流側から下流側への通水路を該発電用通水路７及びバイパス通水路８のいずれか一方から他方に切替えるための通水路切替え用制御弁としての電動式の切替弁９と、羽根車６の回転によって発電電力を発生する発電部１０とを備えており、発電用通水路７及びバイパス通水路８が、基幹給水路５１の一部として、該基幹給水路５１の途中部に介装されている。
【００４８】
この場合、切替弁９は、バイパス通水路８の上流端及び下流端のうちの一方、例えば上流端と発電用通水路７との接続箇所に介装されている。
【００４９】
また、発電部１０は、発電用通水路７の通水による羽根車６の回転に連動して回転するロータを有する発電機（図示省略）を備えており、この発電機により羽根車６の回転を交流の発電電力に変換し、さらに、この交流の発電電力を、インバータ回路（図示省略）を介して直流電力に変換して出力する。
【００５０】
バッテリ４は、充電可能な二次電池により構成されたものであり、本実施形態では、給湯器本体２に搭載されている。そして、バッテリ４は、発電装置５の発電部１０から出力される直流の発電電力が充電されるように該発電部１０に接続されている。
【００５１】
なお、バッテリ４の代わりに、大容量コンデンサにより構成された蓄電器、あるいは、該コンデンサと二次電池とを組み合わせて構成された蓄電器を給湯器本体２に搭載してもよい。また、バッテリ４（蓄電器）は、給湯器本体２とは別の箇所に備えられていてもよく、例えば発電装置５の発電部１０に組み付けられていてもよい。
【００５２】
図２に示すように、各リモコンユニット３（以降、単にリモコン３という）は、それぞれに内蔵された後述の回路ユニットが給湯器本体２に搭載された回路ユニット１１に、リモコンケーブル１２を介して電気的に接続されており、このリモコンケーブル１２を介して給湯器本体２の回路ユニット１１から電源電力の供給を受けたり、該回路ユニット１１との間で通信を行なうことが可能となっている。
【００５３】
給湯器本体２に搭載された回路ユニット１１は、給湯装置１の運転制御を行なうための回路ユニットであり、図４に示すような回路構成を有する。具体的には、回路ユニット１１は、直流電圧であるバッテリ４の出力電圧を交流電圧に変換するＤＣ／ＡＣコンバータ１３と、給湯装置１の電源電力として、商用電源から供給される電力（交流電力）とバッテリ４からＤＣ／ＡＣコンバータ１３を介して出力される電力（交流電力）とのうちのいずれか一方を選択的に出力する切替え器１４と、該切替え器１４の出力（交流電力）から給湯装置１に備えられる種々の電子機器や各リモコン３の電源電圧を生成する電源回路１５と、給湯装置１の運転制御に関する制御処理を実行するマイクロコンピュータ１６（以下、マイコン１６という）と、バッテリ４の出力電圧を検出して、その検出信号をマイコン１６に入力する電圧センサ１７とを備える。
【００５４】
ＤＣ／ＡＣコンバータ１３は、例えばインバータ回路（図示省略）により構成された公知のものであり、該インバータ回路のスイッチ素子のＯＮ・ＯＦＦ制御を行なうことで、バッテリ４から供給される直流電圧の電力を、商用電源とほぼ同じ大きさの交流電圧の電力に変換して出力する。
【００５５】
切替え器１４は、ＤＣ／ＡＣコンバータ１３の出力が入力されると共に、商用電源のコンセント（図示省略）から、該コンセントに接続されるプラグ１８を介して交流電圧（例えば１００Ｖの交流電圧）の電源電力が与えられるようになっている。そして、この切替え器１４は、マイコン１６から与えられる制御信号に応じて、商用電源から供給される電力と、バッテリ４からＤＣ／ＡＣコンバータ１３を介して供給される電力とのうちのいずれか一方を選択的に出力する。なお、このような切替え動作を行なう切替え器１４の具体的な構成は公知のものでよい。
【００５６】
電源回路１５は、詳細な図示は省略するが、切替え器１４から供給される交流電力を直流電力に整流する整流器や該整流器の出力電圧から所要の大きさの直流電源電圧を生成するＤＣ／ＤＣコンバータなどを備えている。そして、電源回路１５は、これらの整流器やＤＣ／ＤＣコンバータ等により、給湯装置１に備えられる種々の電子機器を動作させるための所要の電源電圧を生成し、その電源電圧を各電子機器を動作させるための回路（図示しない）に供給する。
【００５７】
上記電子機器には、例えば、バーナへの燃料供給路や給湯路に備えられた電磁弁、バーナに燃焼用空気を供給するファンの駆動用モータ、バーナへの燃料供給量の調整用のガス比例弁、給湯器本体２の熱交換器等に流れる水量の調整用の水量サーボ弁、バーナの点火用のイグナイタ、温度センサ等の各種センサが含まれる。
【００５８】
マイコン１６は、あらかじめ実装されたプログラムにより実現される主要な機能として、温度センサ等の各種センサの検出データを取得しつつ、バーナの燃焼制御や給湯温度の制御を、上記の如き各種電子機器を介して行なう機能を有する。
【００５９】
さらに、マイコン１６は、本発明に関連する機能として、バッテリ４の蓄電量を観測する蓄電量観測部１９と、バッテリ４の蓄電量の観測値に応じた所要の報知をリモコン３（本実施形態では台所リモコン３ａ）を介して行なう報知制御部２０と、切替え器１４を制御することで、該切替え器１４から出力させる電源電力の切替え制御を行う電源電力切替え制御部２１と、前記発電装置５の切替弁９の切替制御を行う切替弁制御部２２とを備えている。
【００６０】
この場合、蓄電量観測部１９は、例えば、バッテリ４の蓄電量と該バッテリ４の出力電圧との相関関係を利用し、前記電圧センサ１７から入力される検出信号に基づいて、バッテリ４に貯蔵されている蓄電量を推定する。
【００６１】
なお、バッテリ４の蓄電量を推定する手法は、種々様々な手法が公知となっており、上記以外の公知の手法によってバッテリ４の蓄電量を推定するようにしてもよい。例えば、バッテリ４を流れる電流（放電電流及び充電電流）を電流センサを介して計測し、その電流の計測値の積算値に基づいて、該バッテリ４の蓄電量を推定するようにしてもよい。あるいは、バッテリ４を流れる電流の計測値とバッテリ４の出力電圧の計測値との積として算出される電力の積算値に基づいて、該バッテリ４の蓄電量を推定するようにしてもよい。
【００６２】
そして、マイコン１６は、蓄電量観測部１９で推定されたバッテリ４の蓄電量（観測値）に応じて、前記報知制御部２０の処理と電源電力切替え制御部２１の処理と切替弁制御部２２の処理とを後述する如く実行する。
【００６３】
ここで、マイコン１６の蓄電量観測部１９、報知制御部２０、及び切替弁制御部２２はそれぞれ、本発明における蓄電量観測手段、報知制御手段、弁制御手段に相当するものである。また、マイコン１６の電源電力切替え制御部２１は、切替え器１４と併せて本発明における電源電力切替え手段を構成するものである。
【００６４】
なお、マイコン１６は、上記の機能の他、ＤＣ／ＡＣコンバータ１３のスイッチ素子のＯＮ・ＯＦＦ制御を行なう機能、各リモコン３の後述するマイコン３７との通信をリモコンケーブル１２を介して行なう機能も有する。
【００６５】
補足すると、図示は省略するが、本実施形態では、マイコン１６と各リモコン３の後述する回路ユニット３８との動作用の直流電源電圧を、商用電源の電力又はバッテリ４（もしくはこれとは別の補助用電池）の電力から生成する回路が回路ユニット１１に備えられている。そして、この回路によって、商用電源の非停電時（通常時）には、商用電源の電力から生成される直流電源電圧の電力がマイコン１６と各リモコン３とに定電圧レギュレータを介して供給され、商用電源の停電が発生すると、バッテリ４の電力から生成される直流電源電圧の電力が自動的に定電圧レギュレータを介してマイコン１６と各リモコン３とに供給されるようになっている。この場合、例えば、バッテリ４の電力から生成する直流電源電圧を、商用電源の電力から生成する直流電源電圧よりも若干小さい大きさの電圧にしておくことによって、商用電源の非停電時には、商用電源の電力だけがマイコン１６と各リモコン３とに供給される。
【００６６】
次に、前記複数のリモコン３は、それぞれ、屋内に設置されるものであり、本実施形態では、台所に設置されるリモコンである台所リモコン３ａと、浴室に設置されるリモコンである風呂リモコン３ｂとを含む。
【００６７】
台所リモコン３ａは、例えば図３に示すように、給湯装置１の起動及び運転停止を行なうためのメイン運転スイッチ３０、浴室の風呂の湯はり及び沸き上げ運転を自動的に行わせるための自動風呂運転スイッチ３１、出湯温度等の設定を行なうためのアップ・ダウンスイッチ３２、該アップ・ダウンスイッチ３２による設定内容を選択するための選択スイッチ３３、出湯温度の設定値等の各種情報を表示するための表示器３４、バッテリ４の蓄電状態を報知するためのバッテリランプ３５を表面部に備えると共に、報知音もしくは音声を出力するスピーカ３６を内蔵している。本実施形態では、バッテリランプ３５及びスピーカ３６が本発明における報知器に相当するものである。
【００６８】
また、台所リモコン３ａには、図４に示すように、マイクロコンピュータ３７（以下、マイコン３７という）を有する回路ユニット３８が内蔵されており、この回路ユニット３８には、給湯器本体２の回路ユニット１１の前記電源回路１５からリモコンケーブル１２を介して直流電圧の電源電力が供給されるようになっている。
【００６９】
そして、マイコン３７は、それに実装されるプログラムにより実現される機能として、給湯器本体２の回路ユニット１１のマイコン１６と通信を行いつつ、各スイッチ２１〜２３の操作に応じた運転指示や、表示器２４の表示制御、表示器３４の表示制御や、バッテリランプ３５の点灯制御、スピーカ３６の出力音の制御を行なう機能を有している。
【００７０】
また、風呂リモコン３ｂは、図示を省略するが、台所リモコン３ａと同様に、メイン運転スイッチ、自動風呂運転スイッチ、アップ・ダウンスイッチ、選択スイッチ、表示器、スピーカを備える他、例えば、風呂リモコン３ｂに優先権を付与するための優先スイッチ、風呂の足し湯や追い炊きを行なうためのスイッチ等が備えられる。さらに、風呂リモコン３ｂには、台所リモコン３ａと同様に、マイコンを含む回路ユニットが内蔵されている。
【００７１】
なお、各リモコン３に備えるスイッチ類や表示器は、上記の形態に限られるものではなく、給湯装置１の機種や仕様等に応じて種々様々な形態を採用できる。
【００７２】
また、上記台所リモコン３ａ及び風呂リモコン３ｂの他に、例えば洗面所に設置されるリモコンを備えていてもよい。
【００７３】
補足すると、本実施形態では、バッテリランプ３５を、複数のリモコン３のうちの台所リモコン３ａだけに備えるようにしたが、台所リモコン３ａ以外のリモコン３（例えば風呂リモコン３ｂ）にバッテリランプを備えるようにしたり、あるいは、２つ以上のリモコン３にバッテリランプを備えるようにしてもよい。
【００７４】
次に、本実施形態の給湯装置１の作動（主に電源系に関する作動）を説明する。
【００７５】
本実施形態の給湯装置１では、その運転中及び停止中にいずれの状態であっても、家屋５０の給水対象箇所又は給湯対象箇所のいずれかの箇所で、給水又給湯が行なわれると、水道設備から基幹給水路５１に供給されている水が、発電用通水路７及びバイパス通水路８のいずれか一方を通って、家屋５０の給水対象箇所又は給湯対象箇所のいずれかの箇所に供給される。
【００７６】
この場合、発電用通水路７での通水とバイパス通水路８での通水とを選択的に切替えるための前記切替弁９は、給湯器本体２の回路ユニット１１のマイコン１６によって、次のように制御される。
【００７７】
すなわち、マイコン１６は、蓄電量観測部１９により、バッテリ４の蓄電量を逐次観測しつつ、その蓄電量に応じて切替弁制御部２２により切替弁９を制御する。具体的には、マイコン１６は、蓄電量観測部１９により観測したバッテリ４の蓄電量（推定値）が、所定量以上である場合には、バイパス通水路８での通水を行なわせるように切替弁９を制御し、バッテリ４の蓄電量が所定量よりも小さい場合には、発電用通水路７での通水を行なわせるように切替弁９を制御することを切替弁制御部２２により実行する。
【００７８】
ここで、本実施形態では、マイコン１６が蓄電量観測部１９により観測（推定）するバッテリ４の蓄電量は、例えば満充電状態での蓄電量を基準（１００％）とする相対量である。そして、上記所定量は、バッテリ４の満充電状態での蓄電量（１００％）に近い値、例えば９０％にあらかじめ定められている。
【００７９】
従って、バッテリ４の蓄電量が、満充電状態もしくはそれに近い蓄電量ではなく、バッテリ４の充電を行い得る状況では、家屋５０の給水対象箇所又は給湯対象箇所への通水（給水又は給湯）が発電用通水路７を経由して行なわれることとなる。
【００８０】
そして、この発電用通水路７での通水によって、発電装置５の羽根車６が回転し、この回転によって発電部１０が発電する。さらに、この発電電力がバッテリ４に供給されて、該バッテリ４の充電が行われる。従って、家屋５０の任意の給水対象箇所又は給湯対象箇所で、ユーザが水又は湯を利用すれば、バッテリ４が充電されることとなる。
【００８１】
一方、バッテリ４の蓄電量が、満充電状態もしくはそれに近い蓄電量であり、バッテリ４の充電を行うことができないか、もしくは、僅かしか充電することができない状況では、家屋５０の給水対象箇所又は給湯対象箇所への通水が、バイパス通水路８を経由して行なわれることとなる。
【００８２】
この場合には、発電用通水路７での通水が行なわれず、バイパス通水路８での通水が行なわれることで、その通水は、ほとんど圧力損失を生じることなく行なわれる。このため、発電用通水路７での通水が行なわれる場合に比して、下流側の第１給水路５２及び第２給水路５３での水圧が高まり、家屋５０の給水対象箇所又は給湯対象箇所への通水を円滑に行なうことができる。
【００８３】
なお、バッテリ４の蓄電量に応じた切替弁９の切替え制御はヒステリシス特性を持たせてもよい。すなわち、バッテリ４の蓄電量が第１の所定量（例えば８８％）まで低下したら、発電用通水路７での通水を行なわせるように切替弁９を制御し、その後、バッテリ４の蓄電量が充電によって第１の所定量よりも高い第２の所定量（例えば９２％）まで増加したら、バイパス通水路８での通水を行なわせるように切替弁９を制御するようにしてもよい。
【００８４】
また、前記メイン運転スイッチ３０等、いずれかのリモコン３のメイン運転スイッチがＯＮ操作された状態で、給湯器本体２の回路ユニット１１のマイコン１６は、蓄電量観測部１９より、バッテリ４の蓄電量を逐次観測しつつ、図５及び図６のフローチャートに示すように、給湯装置１の運転制御を行う。この運転制御は、前記報知制御部２０及び電源電力切替え制御部２１の制御処理を主体するものである。
【００８５】
以下、具体的に説明すると、マイコン１６は、ＳＴＥＰ１において、商用電源が停電した状態であるか否かを判断する。この判断は、例えば商用電源の電力から生成されるマイコン１６用の直流電源電圧の大きさ等に基づいて行なわれる。
【００８６】
ＳＴＥＰ１の判断結果が肯定的である場合（商用電源の停電状態である場合）には、マイコン１６は、次に、報知制御部２０により、ＳＴＥＰ３の判断処理を実行する。この判断処理では、マイコン１６の報知制御部２０は、バッテリ４の蓄電量（推定値）が、所定の閾値、例えば６０％以上であるか否かを判断する。
【００８７】
ここで、ＳＴＥＰ３における閾値（６０％）は、バッテリ４の電力を使用して給湯装置１の運転を行なうことを許可するか否かを決定するための閾値である。該閾値は、バッテリ４の蓄電量が、該閾値以上である場合に、給湯装置１の運転をある程度継続的に行う上で好適な閾値としてあらかじめ定められている。
【００８８】
ＳＴＥＰ３の判断結果が否定的である場合には、マイコン１６は、ＳＴＥＰ１からの処理を繰り返しつつ待機する。この状態では、給湯対象箇所での通水（台所の蛇口５４の通水等）や、前記自動風呂運転スイッチ３１のＯＮ操作等、給湯装置１の運転（バーナの燃焼運転を伴う運転）の要求が発生しても、給湯装置１の運転は行なわれない。
【００８９】
一方、商用電源の停電前にバッテリ４が既に、６０％以上の蓄電量に充電されていた場合、あるいは、停電後に、ＳＴＥＰ３の判断結果が否定的となる状況で、家屋５０の給水対象箇所又は給湯対象箇所への通水に伴う発電装置５の発電電力によって、バッテリ４が６０％以上の蓄電量まで充電された場合には、マイコン１６は、報知制御部２０によって、ＳＴＥＰ４の処理を実行する。
【００９０】
このＳＴＥＰ４では、マイコン１６の報知制御部２０は、給湯装置１の運転を行なうために、バッテリ４の電力を利用する旨を、リモコン３によりユーザに報知させる。
【００９１】
具体的には、本実施形態では、この報知を行なうためのリモコン３として、特定の１つのリモコン３、例えば台所リモコン３ａを使用する。そして、マイコン１６は、上記の報知を行なうべき旨を、台所リモコン３ａのマイコン３７に指示する。このとき、台所リモコン３ａのマイコン３７は、給湯装置１の運転を行なうために、バッテリ４の電力を利用する旨の音声を、スピーカ３６から出力させると共に、バッテリランプ３５を点灯させる。
【００９２】
このような音声による報知と、バッテリランプ３５の点灯による報知とによって、ユーザは、停電状態において、バッテリ４の電力を使用して給湯装置１の運転を行うことが可能であることを容易に認識することができる。なお、ＳＴＥＰ４の報知制御では、音声による報知と、バッテリランプ２５の点灯による報知とのいずれか一方だけを行なうようにしてもよい。あるいは、表示器３４に文字情報を表示して報知を行なうようにしてもよい。
【００９３】
マイコン１６は、次に、ＳＴＥＰ５において、給湯装置１の電源（給湯装置１の各電子機器を動作させるための電源）を商用電源からバッテリ４に切替えるように前記切替え器１４を電源電力切替え制御部２１により制御する。これにより、該切替え器１４は、バッテリ４からＤＣ／ＡＣコンバータ１３を介して出力される交流電力を電源回路１５に出力するようになる。従って、給湯装置１の各電子機器がバッテリ４の電力を使用して動作し得る状態となる。
【００９４】
そして、マイコン１６は、ＳＴＥＰ６において、ユーザによる給湯装置１の運転の要求に応じて、随時、給湯装置１の運転（バッテリ４の電力による運転）を行わせる。なお、この場合、バッテリ４の電力消費を極力抑制するために、例えばバーナの燃焼量を通常時（非停電時）よりも抑制したり、電力消費が大きくなりやすい形態の運転を禁止する等、給湯装置１の能力又は機能を制限するようにしてもよい。
【００９５】
このように、給湯装置１の運転を随時、行なわせつつ、マイコン１６は、報知制御部２０によって、ＳＴＥＰ７の判断処理を実行する。この判断処理では、マイコン１６の報知制御部２０は、バッテリ４の現在の蓄電量（推定値）が、前記ＳＴＥＰ３での閾値（６０％）よりも低い所定の閾値、例えば１０％以下であるか否かを判断する。
【００９６】
このＳＴＥＰ７における閾値（１０％）は、バッテリ４の電力によって給湯装置１の継続的な運転を行うことが可能な限界（下限）の蓄電量の直前の蓄電量としてあらかじめ定められた閾値であり、バッテリ４の蓄電量が該閾値以下になると、間もなく、給湯装置１の運転を行うことができなくなる可能性が高い。
【００９７】
このため、ＳＴＥＰ７の判断結果が肯定的となった場合には、マイコン１６の報知制御部２０は、次にＳＴＥＰ８において、バッテリ４の蓄電量の減少によって、給湯装置１が運転不能となる可能性がある旨を、リモコン３（本実施形態では台所リモコン３ａ）によりユーザに報知させる。この場合、本実施形態では、この報知は、台所リモコン３ａのマイコン３７が、給湯器本体２のマイコン１６からの指示に応じて、バッテリ４の蓄電量の減少によって、給湯装置１が運転不能となる可能性がある旨の音声を、スピーカ３６から出力させることで行なわれる。
【００９８】
これにより、ユーザは、まもなく給湯装置１の運転を行うことができなくなる可能性を認識することができる。
【００９９】
なお、ＳＴＥＰ７の判断結果が否定的である場合には、ＳＴＥＰ８の報知は行なわれず、マイコン１２は、引き続き、ＳＴＥＰ７の判断処理を繰り返す。
【０１００】
また、ＳＴＥＰ８においては、例えばバッテリランプ３５（あるいは台所リモコン３ａの他のランプ）の点滅等によって、上記の報知を行なうようにしてもよい。あるいは、表示器３４に文字情報を表示して上記の報知を行なうようにしてもよい。
【０１０１】
マイコン１６は、ＳＴＥＰ８の報知を行なった後、報知制御部２０によって、ＳＴＥＰ９の判断処理を実行する。この判断処理では、マイコン１６の報知制御部２０は、バッテリ４の現在の蓄電量（推定値）が、給湯装置１の継続的な運転を行うことが可能な限界（下限）の蓄電量としてあらかじめ定められた所定の閾値、例えば５％以下であるか否かを判断する。
【０１０２】
そして、この判断結果が否定的である場合には、マイコン１６の報知制御部２０はさらに、ＳＴＥＰ１０において、バッテリ４の現在の蓄電量（推定値）が、ＳＴＥＰ７での閾値（１０％）よりも高めの値のあらかじめ定められた所定の閾値、例えば３０％以上であるか否かを判断する。
【０１０３】
ここで、ＳＴＥＰ８の報知に応じて、ユーザが給湯装置１の運転を極力控えるようにした場合、家屋５０の給水対象箇所又は給湯対象箇所への通水に伴う発電装置５の発電電力によってバッテリ４が充電されることで、該バッテリ４の蓄電量が３０％以上に上昇する場合もある。そして、この場合には、バッテリ４の蓄電量は、ＳＴＥＰ８の報知前と同様に、給湯装置１の継続的な運転を行ない得る状態である。
【０１０４】
このため、ＳＴＥＰ１０の判断結果が肯定的である場合には、マイコン１６の報知制御部２０は、ＳＴＥＰ７からの処理を改めて実行する。すなわち、マイコン１６の報知制御部２０は、バッテリ４の蓄電量が１０％以下となったか否かを逐次判断し、その判断結果が肯定的となった場合に、ＳＴＥＰ８の報知を改めてリモコン３（台所リモコン３ａ）に行なわせる。
【０１０５】
また、ＳＴＥＰ１０の判断結果が否定的である場合には、バッテリ４の蓄電量が十分に回復していないので、マイコン１６の報知制御部２０は、引き続き、ＳＴＥＰ９，１０の判断処理を繰り返す。
【０１０６】
そして、バッテリ４の蓄電量がさらに減少して、ＳＴＥＰ９の判断結果が肯定的となった場合、すなわち、バッテリ４の電力によって給湯装置１の運転を行うことが困難な状態になると、マイコン１６の報知制御部２０は、ＳＴＥＰ１１において、リモコン３（台所リモコン３ａ）のバッテリランプ３５の消灯を台所リモコン３ａのマイコン３７に指示する。この指示に応じて、台所リモコン３ａのマイコン３７は、バッテリランプ３５を消灯させる。この消灯によって、バッテリ４の電力によって給湯装置１の運転を行うことができなくなった旨の報知がユーザに対してなされる。
【０１０７】
この報知によって、ユーザは、バッテリ４の蓄電量が不足して、給湯装置１の運転を行うことができない状態になったことを認識することができる。
【０１０８】
さらに、マイコン１６は、ＳＴＥＰ１２において、給湯装置１の電源（給湯装置１の各電子機器を動作させるための電源）をバッテリ４から商用電源に切替えるように前記切替え器１４を電源電力切替え制御部２１により制御する。これにより、該切替え器１４は、バッテリ４からＤＣ／ＡＣコンバータ１３を介して出力される交流電力を電源回路１５に出力するのを遮断する。
【０１０９】
以降、商用電源の停電が続いている状態では、マイコン１６は、ＳＴＥＰ１の判断処理を経て、ＳＴＥＰ３からの処理を繰り返す。この場合、バッテリ４が発電装置５の発電電力によって、６０％以上の蓄電量まで充電されれば、ＳＴＥＰ３の判断結果が肯定的となるので、給湯装置１の運転を再開することができることとなる。
【０１１０】
以上の如く、商用電源の停電時には、ＳＴＥＰ３〜１２の処理がマイコン１６の制御処理によって実行される。
【０１１１】
商用電源の非停電時（停電時から回復した場合を含む）には、ＳＴＥＰ１の判断結果が否定的となる。この場合には、本実施形態では、バッテリ４の蓄電量が十分に余裕がある場合を除いて、給湯装置１の運転を商用電源の電力によって行い、バッテリ４の蓄電量が十分に余裕がある場合には、節電（商用電源の電力消費の低減）のために、バッテリ４の電力によって給湯装置１の運転を行うようにしている。
【０１１２】
以下、具体的に説明すると、ＳＴＥＰ１の判断結果が否定的である場合に、マイコン１６は、報知制御部２０によって、ＳＴＥＰ２の判断処理を実行する。この判断処理では、マイコン１６の報知制御部２０は、バッテリ４の現在の蓄電量（推定値）が、ＳＴＥＰ３での閾値よりも高い値であらかじめ定められた所定の閾値、例えば８０％以上であるか否かを判断する。
【０１１３】
ＳＴＥＰ２の判断結果が否定的である場合には、マイコン１６は、ＳＴＥＰ１からの処理を繰り返す。この状態では、マイコン１６の電源電力切替え制御部２１は、商用電源の電力を電源回路１５に出力させるように切替え器１４を制御しており、給湯装置１の各電子機器には商用電源からの電力が供給されるようになっている。そして、マイコン１６は、ユーザによる給湯装置１の運転の要求に応じて、随時、給湯装置１の通常的な運転（商用電源の電力による運転）を行わせる。
【０１１４】
一方、ＳＴＥＰ２の判断結果が肯定的となる場合、すなわち、バッテリ４の現在の蓄電量が、満充電状態もしくはそれに近い状態の蓄電量である場合には、マイコン１６は、報知制御部２０によってＳＴＥＰ１３の処理を実行する。
【０１１５】
このＳＴＥＰ１３の処理は、前記ＳＴＥＰ４の処理と同じであり、マイコン１６の報知制御部２０は、給湯装置１の運転を行なうために、バッテリ４の電力を利用する旨を、リモコン３（台所リモコン３ａ）の音声出力と、バッテリランプ３５の点灯とによりユーザに報知させる。
【０１１６】
これにより、ユーザは、節電のために、バッテリ４の電力を使用して給湯装置１の運転を行う状態であることを容易に認識することができる。なお、ＳＴＥＰ１３の報知制御では、ＳＴＥＰ４の場合と同様に、音声による報知と、バッテリランプ３５の点灯による報知とのいずれか一方だけを行なうようにしてもよい。あるいは、表示器３４に文字情報を表示して報知を行なうようにしてもよい。また、ＳＴＥＰ１３の報知の仕方（音声の内容等）を、ＳＴＥＰ４の場合と異ならせるようにしてもよい。
【０１１７】
マイコン１６は、次に、ＳＴＥＰ１４において、前記ＳＴＥＰ５と同様に、給湯装置１の電源を商用電源からバッテリ４に切替えるように前記切替え器１４を電源電力切替え制御部２１により制御する。
【０１１８】
そして、マイコン１６は、ＳＴＥＰ１５において、ユーザによる給湯装置１の運転の要求に応じて、随時、給湯装置１の運転（バッテリ４の電力による運転）を行わせる。
【０１１９】
このように、給湯装置１の運転を随時、行なわせつつ、マイコン１６は、報知制御部２０によって、ＳＴＥＰ１６の判断処理を実行する。この判断処理では、マイコン１６の報知制御部２０は、バッテリ４の現在の蓄電量（推定値）が、前記ＳＴＥＰ７での閾値（１０％）よりも高めの値にあらかじめ定めた所定の閾値、例えば３０％以下であるか否かを判断する。
【０１２０】
このＳＴＥＰ１６における閾値（３０％）は、商用電源の非停電時に、節電のためにバッテリ４の電力を使用して運転を行うことを許容する下限の蓄電量の直前の蓄電量としてあらかじめ定められた閾値であると共に、ＳＴＥＰ１５での給湯装置１の運転中に商用電源の停電が発生しても、引き続き、バッテリ４の電力を使用して給湯装置１の運転を継続し得るような値に設定された閾値である。
【０１２１】
そして、ＳＴＥＰ１６の判断結果が肯定的になった場合には、マイコン１６は、ＳＴＥＰ１７において、前記ＳＴＥＰ１と同様に、商用電源が停電した状態であるか否かを判断する。
【０１２２】
このＳＴＥＰ１７の判断結果が肯定的である場合、すなわち、商用電源の停電が発生している場合には、マイコン１６は、前記ＳＴＥＰ７からの処理を実行する。この場合、バッテリ４の蓄電量は、未だ、３０％に近い蓄電量であるので、バッテリ４の電力を使用した給湯装置１の運転を継続的に行なうことができる。
【０１２３】
また、ＳＴＥＰ１７の判断結果が否定的である場合には、マイコン１６の報知制御部２０は、次にＳＴＥＰ１８において、バッテリ４の蓄電量の減少によって、給湯装置１の電源が、バッテリ４から商用電源に切替わる可能性がある旨を、リモコン３（本実施形態では台所リモコン３ａ）によりユーザに報知させる。この場合、本実施形態では、この報知は、台所リモコン３ａのマイコン３７が、給湯器本体２のマイコン１６からの指示に応じて、バッテリ４の蓄電量の減少によって、給湯装置１の電源が、バッテリ４から商用電源に切替わる可能性がある旨の音声を、スピーカ３６から出力させることで行なわれる。
【０１２４】
これにより、ユーザは、まもなく、バッテリ４の電力を使用した給湯装置１の運転から、商用電源の電力を使用した通常の運転に移行することを認識することができる。
【０１２５】
なお、ＳＴＥＰ１６の判断結果が否定的である場合には、ＳＴＥＰ１７の判断処理やＳＴＥＰ１８の報知は行なわれず、マイコン１６は、引き続き、ＳＴＥＰ１６の判断処理を繰り返す。
【０１２６】
また、ＳＴＥＰ１８においては、例えばバッテリランプ３５（あるいは台所リモコン３ａの他のランプ）の点滅等によって、上記の報知を行なうようにしてもよい。あるいは、表示器３４に文字情報を表示して上記の報知を行なうようにしてもよい。
【０１２７】
マイコン１６は、ＳＴＥＰ１８の報知を行なった後、報知制御部２０によって、ＳＴＥＰ１９の判断処理を実行する。この判断処理では、マイコン１６の報知制御部２０は、バッテリ４の現在の蓄電量（推定値）が、節電のためにバッテリ４の電力を使用して運転を行うことを許容する下限の蓄電量としてあらかじめ定められた所定の閾値、例えば２０％以下であるか否かを判断する。
【０１２８】
そして、この判断結果が否定的である場合には、マイコン１６の報知制御部２０はさらに、ＳＴＥＰ２０において、バッテリ４の現在の蓄電量（推定値）が、ＳＴＥＰ１６での閾値（３０％）よりも高めの値のあらかじめ定められた所定の閾値、例えば５０％以上であるか否かを判断する。
【０１２９】
ここで、ＳＴＥＰ１８の報知後、ユーザによる給湯装置１の運転の要求がしばらく無かったような場合に、家屋５０の給水対象箇所又は給湯対象箇所への通水に伴う発電装置５の発電電力がバッテリ４に充電されることで、該バッテリ４の蓄電量が５０％以上に上昇する場合もある。
【０１３０】
そこで、この場合（ＳＴＥＰ２０の判断結果が肯定的になる場合）には、マイコン１６の報知制御部２０は、ＳＴＥＰ１６からの処理を改めて実行する。すなわち、マイコン１６の報知制御部２０は、バッテリ４の蓄電量が３０％以下となったか否かを逐次判断し、その判断結果が肯定的となった場合で、且つ、商用電源が非停電状態である場合に、ＳＴＥＰ１８の報知を改めてリモコン３（台所リモコン３ａ）に行なわせる。
【０１３１】
また、ＳＴＥＰ２０の判断結果が否定的である場合には、バッテリ４の蓄電量が十分に回復していないので、マイコン１６の報知制御部２０は、引き続き、ＳＴＥＰ１９，２０の判断処理を繰り返す。
【０１３２】
そして、バッテリ４の蓄電量がさらに減少して、ＳＴＥＰ１９の判断結果が肯定的となった場合、すなわち、バッテリ４の電力によって給湯装置１の運転を行うことを不許可とする状態になると、マイコン１６は、前記したＳＴＥＰ１１、１２の処理を実行する。
【０１３３】
ＳＴＥＰ１１においては、台所リモコン３ａのバッテリランプ３５を消灯させることで、バッテリ４の電力による給湯装置１の運転が終了し、商用電源の電力による給湯装置１の運転が再開することがユーザに対して報知される。
【０１３４】
また、ＳＴＥＰ１２において、マイコン１６は、給湯装置１の電源をバッテリ４から商用電源に切替えるように前記切替え器１４を電源電力切替え制御部２１により制御する。
【０１３５】
以降、商用電源の停電が発生していない状態では、マイコン１６は、ＳＴＥＰ１の判断処理を経て、ＳＴＥＰ２からの処理を繰り返す。この場合、バッテリ４が発電装置５の発電電力によって、８０％以上の蓄電量まで充電されれば、ＳＴＥＰ２の判断結果が肯定的となるので、節電のために、バッテリ４の電力を使用した給湯装置１の運転が行なわれることとなる。
【０１３６】
以上説明した本実施形態の給湯装置１によれば、バッテリ４が、満充電状態もしくはこれに近い状態で無い場合（蓄電量が９０％よりも小さい場合）には、家屋５０の任意の給水対象箇所又は給湯対象対象での通水が行なわれると、発電装置５の発電部１０の発電が行なわれ、その発電電力がバッテリ４に充電される。
【０１３７】
従って、商用電源の停電時であっても、家屋５０の任意の給水対象箇所又は給湯対象対象での通水を繰り返し行なうことで、バッテリ４の充電を行なうことができる。
【０１３８】
そして、商用電源の停電が発生した場合に、その直後のバッテリ４の蓄電量がＳＴＥＰ３での閾値（６０％）以上となっている場合、あるいは、停電の発生後に、家屋５０の給水対象箇所又は給湯対象箇所への通水に伴う発電装置５の発電電力によって、バッテリ４の蓄電量がＳＴＥＰ３での閾値（６０％）以上の蓄電量まで充電された場合には、該バッテリ４の蓄電量がＳＴＥＰ９での閾値（５％）に低下するまで、バッテリ４の電力を使用して給湯装置１の運転を行なうことができる。
【０１３９】
従って、水道設備による基幹給水路５１への水の供給が行なわれている限り、家屋５０の給水対象箇所又は給湯対象箇所への通水によって、バッテリ４の充電を繰り返し行うことができ、ひいては、給湯装置１の運転を繰り返し行うことができる。
【０１４０】
この場合、ＳＴＥＰ３の判断結果が肯定的である場合には、それに応じてＳＴＥＰ４の報知がリモコン３（本実施形態では台所リモコン３ａ）を介して行なわれる。逆に、ＳＴＥＰ３の判断結果が否定的となる場合、すなわち、バッテリ４の蓄電量が不十分で、バッテリ４の電力による給湯装置１の継続的な運転を行うことができないかもしくは困難な状況では、ＳＴＥＰ４の報知が行なわれない。
【０１４１】
このため、ユーザは、停電時に、バッテリ４の電力によって給湯装置１の継続的な運転を行い得る状況をＳＴＥＰ４の報知の有無によって適切に把握することができる。
【０１４２】
従って、給湯装置１の運転を行うことができないのに、ユーザがそのことを予測できずに、無駄にリモコン３の操作を頻繁に行なったりすることが無いようにすることができる。
【０１４３】
あるいは、発電装置５の発電電力によるバッテリ４の充電によって、給湯装置１の運転を行い得る状況になっているのに、ユーザがそれに気づかずに、必要以上に長時間にわたって、給湯装置１の運転を行なうのを控えるようなことが無いようにすることができる。
【０１４４】
また、バッテリ４の電力を使用した給湯装置１の運転を行っているときに、バッテリ４の蓄電量がＳＴＥＰ７での閾値（１０％）以下まで減少し、給湯装置１の運転を行うことができなくなる状況が近づくと、それに応じてＳＴＥＰ８の報知がリモコン３（台所リモコン３ａ）を介して行なわれる。逆に、バッテリ４の蓄電量がＳＴＥＰ７での閾値（１０％）よりも大きい状況では、ＳＴＥＰ８の報知は行なわれない。
【０１４５】
このため、ユーザは、バッテリ４の電力によって給湯装置１の継続的な運転を行うことができなくなる状況が近時に発生するか否かをＳＴＥＰ８の報知の有無によって適切に把握することができる。従って、給湯装置１の運転中に、ユーザの事前の認識が無いのに、該給湯装置１の運転が不意に停止してしまうことが無いようにすることができる。また、給湯装置１の運転を行うことができなくなる前の給湯装置１の運転計画をたてやすくなると共に、発電装置５の発電電力によるバッテリ４の充電を行なうために、給湯装置１の運転を極力控えたり、あるいは、家屋５０の給水対象箇所又は給湯対象箇所での通水を積極的に行なうというような処置をとることができる。
【０１４６】
また、本実施形態では、商用電源の非停電時においても、バッテリ４の蓄電量が十分に有る場合（ＳＴＥＰ２での閾値（８０％）以上である場合）には、バッテリ４の蓄電量がＳＴＥＰ１９での閾値（２０％）に低下するまで、バッテリ４の電力を使用して給湯装置１の運転が行われる。このため、商用電源の電力の節電を行なうことができ、給湯装置１の運転に必要な電気料金のコストを削減することができる。
【０１４７】
また、この場合、ＳＴＥＰ１３、１８の報知が行なわれることで、給湯装置１の節電運転が行われているか否かをユーザが認識することができ、ユーザの節電意識を高めることができる。
【０１４８】
また、本実施形態では、バッテリ４が満充電状態もしくはこれに近い状態である場合に、発電用通水路７での通水を行なわずに、バイパス通水路８での通水を行なうように前記切替弁９の制御を行なうので、発電装置５の発電を行なう必要が無い場合に、該発電用通水路７及びバイパス通水路８の上流側から下流側への通水時のエネルギー損失を少なくできる。このため、発電装置５の発電を行なう必要が無い場合に、家屋５０の各給水対象箇所又は給湯対象箇所への通水を円滑に行うことができる。
【０１４９】
なお、以上説明した実施形態では、発電用通水路７での通水とバイパス通水路８での通水とを切替えるために、バイパス通水路８の上流端と発電用通水路７との接続箇所に切替弁９を備えるようにしたが、バイパス通水路８の下流端と発電用通水路７との接続箇所に切替弁を備えるようにしてもよい。あるいは、発電用通水路７とバイパス通水路８との両方に開閉弁を設け、それらの開閉弁の一方を開弁させることと他方を閉弁させることとを同時に行なうようにすることで、発電用通水路７での通水とバイパス通水路８での通水とを切替えるようにしてもよい。
【０１５０】
また、発電用通水路７での通水とバイパス通水路８での通水とを切替えるための切替弁や開閉弁をユーザが手動で動作させることができるようにしてもよい。
【０１５１】
また、バイパス通水路８を省略し、羽根車６等の回転部材だけを基幹給水路５１に介装しておくようにしてもよい。
【０１５２】
また、前記実施形態では、台所リモコン３ａ等のリモコン３に、バッテリ４の蓄電量を表示するための複数のＬＥＤ等のランプを備えておき、バッテリ４の蓄電量に応じてランプの点灯個数を変化させるような報知を行なうようにしてもよい。あるいは、例えばリモコン３の液晶表示器による表示マーク（棒グラフ状のマーク等）の表示個数や長さをバッテリ４の蓄電量に応じて段階的に変化させるような報知を行なうようにしてもよい。
【０１５３】
このようにした場合には、前記ＳＴＥＰ３、７、９、１０のそれぞれに対応するバッテリ４の蓄電量をランプの点灯個数や、液晶表示器の表示マークによって、ユーザに認識させることができる。ひいては、停電時に給湯装置１の運転をバッテリ４の電力を使用して行なうことができる状況であるか否かや、バッテリ４の電力を使用した給湯装置１の運転をまもなく行なうことができなくなる状況であるか否か等を、ランプの点灯個数や、液晶表示器の表示マークによってユーザに認識させることもできる。なお、この場合、例えばランプの点灯個数の変化と併せて、ランプの発光色を変化させるようにしてもよい。
【０１５４】
また、前記実施形態において、ＳＴＥＰ３の判断結果が否定的である場合に、その旨を示す報知を台所リモコン３ａ（又は他のリモコン３）の適宜のランプの点灯もしくは点滅等によって行なうようにしてもよい。そして、その場合、ＳＴＥＰ４の報知を省略するようにしてもよい。
【０１５５】
同様に、ＳＴＥＰ７の判断結果が否定的である場合に、その旨を示す報知を、台所リモコン３ａ（又は他のリモコン３）の適宜のランプの点灯もしくは点滅等によって行なうようにしてもよい。そして、その場合、ＳＴＥＰ８の報知を省略するようにしてもよい。
【０１５６】
また、前記実施形態では、商用電源の非停電時において、ＳＴＥＰ２の判断結果が肯定的である場合に、バッテリ４の蓄電量が、ＳＴＥＰ３における閾値（６０％）よりも低いＳＴＥＰ１９の閾値（２０％）に低下するまでバッテリ４の電力を使用して給湯装置１の運転を行なうようにしたが、非停電時におけるバッテリ４の電力を使用した給湯装置１の運転を、バッテリ４の蓄電量が、ＳＴＥＰ３における閾値（６０％）以上となる場合に限定して行なうようにしてもよい。この場合には、ＳＴＥＰ１９の閾値を６０％に設定し、ＳＴＥＰ１６における閾値と、ＳＴＥＰ２０における閾値（＞ＳＴＥＰ１６における閾値）とを、６０％よりも高い値に設定しておけばよい。
【０１５７】
また、前記実施形態では、商用電源の非停電時において、ＳＴＥＰ２の判断結果が肯定的である場合に、バッテリ４の電力を使用して給湯装置１の運転を行うようにしたが、非停電時には、常に、商用電源の電力を使用して給湯装置１の運転を行うようにしてもよい。
【０１５８】
また、商用電源の非停電時に、発電装置５の発電電力をバッテリ４に充電することにことに加えて、商用電源の電力によってもバッテリ４の充電が行なわれるようにしてもよい。
【０１５９】
また、前記実施形態では、切替え器１４で、商用電源の交流電力と、バッテリ４からＤＣ／ＡＣコンバータ１３を介して供給される交流電力とを選択的に出力するようにしたが、商用電源の交流電力から整流器により生成した直流電圧の電力と、バッテリ４の出力電圧（直流電圧）とを切替え器で選択的に出力するようにして、この出力（直流電力）から電源回路１５により各電子機器の電源電圧を生成するようにしてもよい。
【０１６０】
また、実施形態では、熱源装置として給湯装置１を例にとって説明したが、本発明の熱源装置は、給湯装置１以外に温水暖房装置等であってもよい。
【０１６１】
また、前記実施形態では、基幹給水路５１に供給される上水を利用して発電装置５の発電を行なうものを示したが、バッテリ４（蓄電器）に充電する電力を、下水を利用して発電するようなシステムを構築することも可能である。
【符号の説明】
【０１６２】
１…給湯装置（熱源装置）、２…給湯器本体（熱源機）、３（３ａ，３ｂ）…リモコンユニット、４…バッテリ（蓄電器）、５…発電装置、６…羽根車（回転部材）、７…発電用通水路、８…バイパス通水路、９…切替弁（通水路切替え用制御弁）、１４…切替え器（電源電力切替え手段）、１９…蓄電量観測部（蓄電量観測手段）、２０…報知制御部（報知制御手段）、２１…電源電力切替え制御部（電源電力切替え手段）、２２…切替弁制御部（弁制御手段）、３５…バッテリランプ（報知器）、３６…スピーカ（報知器）、５１…基幹給水路、５２…第１給水路、５３…第２給水路。
【図１】
2013036645.tif 000003
【図２】
2013036645.tif 000004
【図３】
2013036645.tif 000005
【図４】
2013036645.tif 000006
【図５】
2013036645.tif 000007
【図６】
2013036645.tif 000008